(57)【要約】      （修正有）【課題】植生された芝生へ自動的に灌漑用水を供給する自動給水植生マット及び灌漑装置を提供する。【解決手段】自動給水植生マットは、複数の凸縁により囲まれて貯水空間が形成され、貯水空間の間には、互いに連通するようにトレンチが設けられ、側部に導流孔が設けられ、頂面に複数の貫通孔を上に有する透水板が設けられている。灌漑装置は、植生マット、接続管、水タンク及び雨水センサを備える。【選択図】図１
0003159445.tif 000002
【実用新案登録請求の範囲】
【請求項１】
複数の凸縁により囲まれて貯水空間が形成され、前記貯水空間の間には、互いに連通するようにトレンチが設けられ、
植生マットは、側部に導流孔が設けられ、頂面に複数の貫通孔を上に有する透水板が設けられていることを特徴とする自動給水植生マット。
【請求項２】
複数の凸縁により囲まれて貯水空間が形成され、前記貯水空間の間には、互いに連通するようにトレンチが設けられ、
前記貯水空間の中には、種子収納室を取り囲むように周囲壁が設けられ、前記種子収納室の前記周囲壁の内側には挿入槽が接続され、前記周囲壁には隙間が設けられ、
植生マットの周囲には結合部が設けられ、前記結合部には導流孔が設けられ、前記結合部に結合ブロックが結合され、前記結合ブロックの中には流路が設けられ、前記結合部の前記導流孔と連通し、前記植生マットの頂面には透水板が設けられ、前記透水板に複数の貫通孔が設けられていることを特徴とする自動給水植生マット。
【請求項３】
植生マット、接続管、水タンク及び雨水センサを備える自動給水植生マットの灌漑装置であって、
前記植生マットは、複数の凸縁により囲まれて貯水空間が形成され、前記貯水空間の間には、互いに連通するようにトレンチが設けられ、側部に導流孔が設けられ、
前記接続管は、２つの前記植生マットの前記導流孔の間に接続され、
前記水タンクは、１つ目の前記植生マットの前記導流孔に接続される給水管が下部に接続され、
前記給水管には、水位センサと電気的に接続されたバルブが設けられ、前記植生マットの前記貯水空間の中に水位センサを配置し、一番最後の前記植生マットの前記導流孔には、排水管が接続され、
前記雨水センサにはバルブが設けられていることを特徴とする自動給水植生マットの灌漑装置。
【考案の詳細な説明】
【技術分野】
【０００１】
本考案は自動給水植生マット及び灌漑装置に関し、特に、植生された芝生へ自動的に灌漑用水を供給する自動給水植生マット及び灌漑装置に関する。
【背景技術】
【０００２】
本考案者は、既に組立式植物植生板の構造に関する技術を開示している（例えば、特許文献１）。特許文献１では、主に植生板の周囲にストップ縁を設け、数個の貫通孔を上に有する水受槽を設け、この水受槽の中に給水材料が設けられている。各水受槽の間には、接続部が設けられ、互いに接続した４つの接続部により中空部が設けられている。植生板のストップ縁の外側には、掛止部及び被掛止部が設けられ、植生板上に網状材料層が敷設されている。これにより、植生を行う空間のサイズに応じて敷設を行い、各植生板上に設けた掛止部と被掛止部とを対応させて係合し、各植生板を互いに係合して固定した後、網状材料層上に土壌及び芝生を敷設し、断熱、環境美化などの効果を得る。
【０００３】
しかし、特許文献１には、一部の植生板にしか灌漑用の水が行き渡らないという欠点の他に、各植生板の間を手作業で行ったり来たりするように灌漑しなければならないため面倒であるという欠点もあった。
【先行技術文献】
【特許文献】
【０００４】
【特許文献１】台湾実用新案登録第４２３２６６号公報
【考案の概要】
【考案が解決しようとする課題】
【０００５】
本考案の目的は、植生された芝生へ自動的に灌漑用水を供給する自動給水植生マット及び灌漑装置を提供することにある。
【課題を解決するための手段】
【０００６】
上記課題を解決するために、本考案の第１の形態によれば、複数の凸縁により囲まれて貯水空間が形成され、前記貯水空間の間には、互いに連通するようにトレンチが設けられ、植生マットは、側部に導流孔が設けられ、頂面に複数の貫通孔を上に有する透水板が設けられていることを特徴とする自動給水植生マットが提供される。
【０００７】
本考案の第２の形態によれば、複数の凸縁により囲まれて貯水空間が形成され、前記貯水空間の間には、互いに連通するようにトレンチが設けられ、前記貯水空間の中には、種子収納室を取り囲むように周囲壁が設けられ、前記種子収納室の前記周囲壁の内側には挿入槽が接続され、前記周囲壁には隙間が設けられ、植生マットの周囲には結合部が設けられ、前記結合部には導流孔が設けられ、前記結合部に結合ブロックが結合され、前記結合ブロックの中には流路が設けられ、前記結合部の前記導流孔と連通し、前記植生マットの頂面には透水板が設けられ、前記透水板に複数の貫通孔が設けられていることを特徴とする自動給水植生マットが提供される。
【０００８】
本考案の第３の形態によれば、植生マット、接続管、水タンク及び雨水センサを備える自動給水植生マットの灌漑装置であって、前記植生マットは、複数の凸縁により囲まれて貯水空間が形成され、前記貯水空間の間には、互いに連通するようにトレンチが設けられ、側部に導流孔が設けられ、前記接続管は、２つの前記植生マットの前記導流孔の間に接続され、前記水タンクは、１つ目の前記植生マットの前記導流孔に接続される給水管が下部に接続され、前記給水管には、水位センサと電気的に接続されたバルブが設けられ、前記植生マットの前記貯水空間の中に水位センサを配置し、一番最後の前記植生マットの前記導流孔には、排水管が接続され、前記雨水センサにはバルブが設けられていることを特徴とする自動給水植生マットの灌漑装置が提供される。
【考案の効果】
【０００９】
本考案の自動給水植生マット及び灌漑装置は、植生された芝生へ自動的に灌漑用水を供給することができる。
【図面の簡単な説明】
【００１０】
【図１】本考案の一実施形態による植生マットを示す斜視図である。
【図２】本考案の一実施形態による植生マットを示す断面図である。
【図３】本考案の一実施形態による複数の植生マットを組み合わせたときの状態を示す斜視図である。
【図４】本考案の一実施形態による自動給水植生マット及び灌漑装置を示す模式図である。
【図５】本考案の一実施形態による自動給水植生マット及び灌漑装置を示す部分拡大図である。
【図６】本考案の他の実施形態による自動給水植生マット及び灌漑装置を示す部分拡大図である。
【図７】本考案の他の実施形態による植生マットを示す斜視図である。
【図８】本考案の他の実施形態による植生マットを示す断面図である。
【図９】本考案の他の実施形態による植生マットを組み合わせるときの状態を示す斜視図である。
【図１０】本考案の他の実施形態による複数の植生マットを組み合わせたときの状態を示す断面図である。
【図１１】本考案の他の実施形態による植生マットを使用するときの状態を示す斜視図である。
【図１２】本考案の他の実施形態による自動給水植生マット及び灌漑装置を使用するときの状態を示す模式図である。
【図１３】本考案の他の実施形態による自動給水植生マット及び灌漑装置を使用するときの状態を示す模式図である。
【考案を実施するための形態】
【００１１】
以下、本考案の実施形態について図に基づいて説明する。なお、これによって本考案が限定されるものではない。
【００１２】
図１及び図４を参照する。図１及び図４に示すように、本考案の一実施形態による自動給水植生マット及び灌漑装置は、植生マット１、接続管２、水タンク３及び雨水センサ４を含む。
【００１３】
図１及び図２を参照する。図１及び図２に示すように、本実施形態の植生マット１には、複数の凸縁１０により囲まれて貯水空間１１が形成されている。各貯水空間１１の間には、互いに連通するようにトレンチ１２が設けられている。貯水空間１１及びトレンチ１２を囲んで形成したトレンチ１２のスペーサ１３上には十字状に交錯するように溝１３１が設けられている。各溝１３１の中央部分には、オーバーフロー孔１４が設けられている。植生マット１は、側部に設けられた少なくとも１つの貯水空間１１の側面に導流孔１５が設けられている。また、植生マット１の側部には結合部１６が接続されている。
【００１４】
図４及び図５を参照する。図４及び図５に示すように、接続管２は、２つの植生マット１のそれぞれの導流孔１５に取り付けられている。
【００１５】
水タンク３は、下部に給水管３１が接続され、１つ目の植生マット１の導流孔１５に接続され、各給水管３１にはバルブ３２が設けられている。バルブ３２と電気的に接続された水位センサ３６は、植生マット１の貯水空間１１の中に設置し、植生マット１の貯水空間１１中の高低水位を感知するために用いる（図１３に示す）。排水管３３は、一番最後の植生マット１の導流孔１５と、水タンク３の上方とに接続されている。排水管３３には、ポンプ３４を取り付け、水タンク３の中には、給水ユニットに接続された水位制御装置３５が配置されている。
【００１６】
雨水センサ４は、バルブ３２と接続する。
【００１７】
図３及び図４を参照する。図３及び図４に示すように、本実施形態の数個の植生マット１は、結合部１６を利用して互いに結合させた後、各植生マット１の間に設けられた導流孔１５に接続管２を接続し、各植生マット１の間を水路で連通した状態にする。
【００１８】
水タンク３の給水管３１は、１つ目の植生マット１の導流孔１５に接続し、水タンク３の排水管３３は、一番最後の植生マット１の導流孔１５に接続する。
【００１９】
また、植生マット１の頂面には、数個の貫通孔５１を上に有する透水板５を設置する。この透水板５上には、土壌を敷設し、その土壌の上に芝生を植設する。
【００２０】
図４及び図５を参照する。図４及び図５に示すように、水タンク３から供給された灌漑用水は、給水管３１を介して、開いた状態のバルブ３２を通過した後、接続された一つ目の植生マット１の導流孔１５へ流入してから貯水空間１１の中に入る。また、水タンク３の中には、水位を感知し、水タンク３の中に水が十分あるか否かを判断するために用いる水位制御装置３５が配置されている。
【００２１】
本実施形態の雨水センサ４は、降雨を感知するとバルブ３２を閉め、植生マット１上に植設された芝生へ、降雨時に水タンク３から給水されることを防ぐことができる。
【００２２】
図６を参照する。図６に示すように、本考案の他の実施形態では、植生マット１の貯水空間１１の中の水を効果的に吸収することができるように、透水板５には、土壌及び芝生を収納する窪んだ収納部５２が形成されていてもよい。
【００２３】
図７及び図８を参照する。図７及び図８に示すように、本考案の他の実施形態による植生マット６は、複数の凸縁６０により囲まれて形成された貯水空間６１を有する。各貯水空間６１の間には、連通したトレンチ６２が設けられ、貯水空間６１の中には、種子収納室６３０を取り囲むように周囲壁６３が設けられている。種子収納室６３０の周囲壁６３の内側には、挿入槽６３１が接続されている。周囲壁６３には隙間６３２が設けられている。植生マット６の周囲の底側には、数個の結合部６４が設けられている。結合部６４上には、上に封止膜６４２を有する導流孔６４１が設けられている。
【００２４】
図９及び図１０を参照する。図９及び図１０に示すように、本実施形態の植生マットは、結合部６４に接続する結合ブロック６５をさらに含む。結合ブロック６５には流路６５１が設けられ、植生マット６の上方に位置する導流孔６４１にはリブ６６（図７に示す）が周設され、リブ６６に隙間６６１が設けられている。リブ６６により囲むように形成された空間の中には、スポンジなどのフィルタが配置され、植生マット６の中央部分に設けた貯水空間６１には、凸柱６７が突設されている。凸柱６７の頂端には、凸柱６７を貫設させる植生マット６のオーバーフロー孔６７１が設けられ、凸柱６７の頂端の周縁には、オーバーフロー孔６７１に水が流れるように数個の溝６７２が設けられている。
【００２５】
図１１を参照する。図１１に示すように、植生マット６の種子収納室６３０の中に葡萄、トマトなどの藤蔓状の植物種子を入れて土壌で覆った後、灌漑システムを起動させると、水タンク３の中にある水は、給水管３１が接続された導流孔６４１から１つ目の植生マット６へ流入し、トレンチ６２に沿って貯水空間６１の中へゆっくりと流入する。これにより、貯水空間６１の種子収納室６３０の中の土壌及び種子の灌漑を行うことができる（図８に示す）。
【００２６】
図１３を参照する。図１３に示すように、植生マット６の頂面に透水板５を設置してから、透水板５上に土壌を敷設し、芝生を植設する。
【００２７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２８】
１  植生マット
２  接続管
３  水タンク
４  雨水センサ
５  透水板
６  植生マット
７  杆体
１０  凸縁
１１  貯水空間
１２  トレンチ
１３  スペーサ
１４  オーバーフロー孔
１５  導流孔
１６  結合部
３１  給水管
３２  バルブ
３３  排水管
３４  ポンプ
３５  水位制御装置
３６  水位センサ
５１  貫通孔
５２  収納部
６０  凸縁
６１  貯水空間
６２  トレンチ
６３  周囲壁
６４  結合部
６５  結合ブロック
６６  リブ
６７  凸柱
１３１  溝
６３０  種子収納室
６３１  挿入槽
６３２  隙間
６４１  導流孔
６４２  封止膜
６５１  流路
６６１  隙間
６７１  オーバーフロー孔
６７２  溝
【図１】
0003159445.tif 000003
【図２】
0003159445.tif 000004
【図３】
0003159445.tif 000005
【図４】
0003159445.tif 000006
【図５】
0003159445.tif 000007
【図６】
0003159445.tif 000008
【図７】
0003159445.tif 000009
【図８】
0003159445.tif 000010
【図９】
0003159445.tif 000011
【図１０】
0003159445.tif 000012
【図１１】
0003159445.tif 000013
【図１２】
0003159445.tif 000014
【図１３】
0003159445.tif 000015